(57)【要約】【課題】産業廃棄物や放射性廃棄物の遮水工に用いる成型ブロックを所定の位置に定置する際に、無限軌道パレットにブロックを載置させることで、所定の位置まで容易に移動させると同時に、何らの損傷も与えることなく簡易に定置させる無限軌道パレットとそれを用いるブロックの定置方法を提供する。【解決手段】本発明による無限軌道パレット１は、両側に配置される一対のフレーム２、２と、フレームの前後端間に配置される一対の軸輪３、３と、軸輪間に掛け渡されてブロック１２を載置する搬送ベルト６と、軸輪の駆動装置７及びフレームの両端部に装備される玉掛けフック９から構成されている。【選択図】        図１
2005132631.tif 000002
【特許請求の範囲】
【請求項１】
両側に配置される一対のフレーム、該フレームの前後端間に配置される一対の軸輪、該軸輪間に掛け渡されてブロックを載置する搬送ベルト、該軸輪の駆動装置及び該フレームの両端部に装備される玉掛けフックから構成される無限軌道パレット。
【請求項２】
請求項１に記載の無限軌道パレットを用いるブロックの定置方法であって、無限軌道パレットを仮置き台に設置し、次いで該無限軌道パレット上に所定個数のブロックを載置し、しかる後にブロックを積算した無限軌道パレットを仮置き台から外して施工位置に搬送して、定置済みのブロック積層体の最終端部上に無限軌道パレットを置き、次いで無限軌道パレットからブロックを荷卸しして、継続するブロックの定置位置に順次に配置して行くブロックの定置方法。
【請求項３】
前記仮置き台に設置した無限軌道パレットに押出成型機を近接させ、前記押出成型機により成型して成る所定個数のブロックを前記無限軌道パレット上に載置することを特徴とする請求項２に記載のブロックの定置方法。
【発明の詳細な説明】
【技術分野】
【０００１】
本発明は、無限軌道パレットとそれを用いるブロックの定置方法に関し、特に、産業廃棄物や放射性廃棄物の遮水工に用いるブロックを無限軌道パレットに載置させることで、損傷させることなく所定の位置に定置するブロックの定置方法に関する。
【背景技術】
【０００２】
産業廃棄物や放射性廃棄物を地中に埋設処分する場合において、地下水に毒性物質を漏出させない遮水工に、ベントナイトあるいはベントナイトと骨材を混練した高密度な粘土系材料から成る遮水材が使われている。
【０００３】
粘土系遮水材を用いる遮水工では、原位置で締固めるためにローラー転圧装置や振動転圧装置を採用する場合もあるが、原位置での締固めでは、１００％配合のベントナイト材料の場合でも乾燥密度１．３Ｍｇ／ｍ3以上に構築することが困難なように、高い密度の粘土系遮水材を構築することは困難である。
【０００４】
そこで、事前に高い密度に成形した粘土系遮水材をブロック形状に形成して、原位置に積み上げることで遮水層を構築する方法も提案されており、粘土系土質材料をプレスすることで高密度な成型体に形成したり、分割した寸法形状のブロックに予め成型したりすることで、円筒型廃棄物の周囲に組み合わせて設置する例も報告されている（例えば非特許文献１を参照）。
【０００５】
本件出願人も、粘土系遮水材の原位置施工法やブロック定置施工法に関して、特願２００１−３８５４６３号、特願２００２−９５１３号、特願２００２−９５５２号、特願２００２−１７３８３８号、特願２００２−５７１６０号、及び特願２００２−１６７９２７号として、既に多くの関連出願を行っているが、粘土系遮水材をブロック形状に形成するために、図１１−１及び図１１−２に示すようなプレス装置も提案されている。
【０００６】
本プレス装置２０は、ベントナイト型枠２１を移動させるスライド用のシリンダー２２に支持されており、ベントナイト型枠１１の上下に配置されているシリンダー２３、２４によってベントナイト型枠１１中のベントナイト２５をブロック形状に圧縮成型している。
【０００７】
しかるに、成型したブロックを定置させて遮水工を行う場合には、例えば、２５ｃｍの立方体であるブロックの重量が３０ｋｇ程度になることから、２５ｃｍ以下のブロックでは人力による定置作業も、それより大きいブロックの場合には機械定置が必要になるという具合に、ブロック単体の大きさをどの程度にするかによって異なった施工方法を選択する必要があるために、施工におけるコストや効率に大きな影響を与えていた。
【０００８】
即ち、ブロックを定置させる施工コストを低く抑えるためには、比較的大きいブロックを作製して機械施工によって定置することが有用であるが、一方では、大きいブロックを製作するにはそれに対応させたプレス圧力を必要とし、取扱いにおいても大きい重機が必要になる等の不便さが発生する問題もあった。
【０００９】
さらに、粘土系遮水材から成るブロックは、強度の小さい材料から構成されるために圧縮強度が小さく、両側からの挟持に耐えられずに壊れる恐れがあり、パレットに載置するにしても、パレットが厚い場合には持ち上げる際に段差による崩壊の危険性が多く、又、ブロックを上面から真空吸引で持ち上げる方法であっても、ブロックの自重と吸引圧によりブロックが引張り破壊する可能性が高い。そこで、このような問題点を改善するために、ブロックを下方から支える方式も提案されている（例えば、特許文献１を参照）。
【００１０】
しかして、本提案では非常に高度な制御を伴う定置装置が採用されているので、装置は複雑でコスト高であり、特に、ブロックの壊れ易さ故に作業の困難さが問題になる、ブロックの定置装置への載置や所定の設置位置に搬送しての定置手段については未解決である。
【００１１】
【非特許文献１】核燃料サイクル開発機構、「わが国における高レベル放射性廃棄物地層処分の技術的信頼性総論レポート」平成１１年１１月２６日発行、ｐ．ＩＶ−５２
【特許文献１】特開２００２-３６２８９３号公報（段落番号「００１４」〜「００１５」、「００２０」、図１、２）
【発明の開示】
【発明が解決しようとする課題】
【００１２】
本発明は、上記の問題点に鑑みてその解決のために提案するものであり、産業廃棄物や放射性廃棄物の遮水工に用いる成型ブロックを所定の位置に定置する際に、無限軌道パレットに載置させることで、所定の位置まで容易に移動させると同時に、何らの損傷も与えることなく簡易に定置させて、施工に用いる機器のコストを低減し、作業の困難性を解消して効率の向上を図る無限軌道パレットとそれを用いるブロックの定置方法を提供している。
【課題を解決するための手段】
【００１３】
本発明による無限軌道パレットは、両側に配置される一対のフレームと、フレームの前後端間に配置される一対の軸輪と、軸輪間に掛け渡されてブロックを載置する搬送ベルトと、軸輪の駆動装置及びフレームの両端部に装備される玉掛けフックから構成されている。
【００１４】
又、本発明によるブロックの定置方法は、上記無限軌道パレットを用いるブロックの定置方法において、無限軌道パレットを仮置き台に設置し、次いで無限軌道パレット上に所定個数のブロックを載置し、しかる後にブロックを積算した無限軌道パレットを仮置き台から外して施工位置に搬送して、定置済みのブロック積層体の最終端部上に無限軌道パレットを置き、次いで無限軌道パレットからブロックを荷卸しして、継続するブロックの定置位置に順次に配置している。
【００１５】
更に、本発明によるブロックの定置方法においては、好ましくは、仮置き台に設置した無限軌道パレットに押出成型機を近接させ、該押出成型機により成型して成る所定個数のブロックを無限軌道パレット上に載置するようにしている。
【００１６】
これによって、本発明による無限軌道パレットとこれを用いるブロックの定置方法では、多数のブロックをパレット上に積載する作業を能率的に実施してパレットとブロック群を一括して所定位置へ搬送すると共に、パレットに積載してあるブロック群を最短距離の荷卸し作業で積み下ししながら定置して、定置作業の効率を飛躍的に向上させて、壊れ易いブロックを丁寧に扱いながら精度良く高効率での定置作業を可能にしている。
【発明の効果】
【００１７】
本発明による無限軌道パレットは、両側に配置される一対のフレームと、フレームの前後端間に配置される一対の軸輪と、軸輪間に掛け渡されてブロックを載置する搬送ベルトと、軸輪の駆動装置及びフレームの両端部に装備される玉掛けフックから構成されるので、成型ブロックを所定の位置に定置する際に、無限軌道パレットに簡易に載置させながら、所定の位置まで容易に移動させると同時に、何らの損傷も与えることなく簡易に定置させることを可能にする効果を奏している。
【００１８】
又、本発明によるブロックの定置方法は、無限軌道パレットを仮置き台に設置し、次いで無限軌道パレット上に所定個数のブロックを載置し、しかる後にブロックを積算した無限軌道パレットを仮置き台から外して施工位置に搬送して、定置済みのブロック積層体の最終端部上に無限軌道パレットを置き、次いで無限軌道パレットからブロックを荷卸しして、継続するブロックの定置位置に順次に配置するので、多数のブロックをパレット上に積載する作業を能率的に実施してパレットとブロック群を一括して所定位置へ搬送すると共に、パレットに積載してあるブロック群を最短距離の荷卸し作業で積み下ししながら定置して、定置作業の効率を飛躍的に向上させて、壊れ易いブロックを丁寧に扱いながら精度良く高効率での定置作業を可能にする効果を奏している。
【００１９】
特に、本発明によるブロックの定置方法では、仮置き台に設置した無限軌道パレットに押出成型機を近接させ、該押出成型機により成型して成る所定個数のブロックを無限軌道パレット上に載置するので、該ブロックを無限軌道パレットに効率的に載置することができるという効果を奏する。
【発明を実施するための最良の形態】
【００２０】
本発明による無限軌道パレットとこれを用いるブロックの定置方法は、簡易な構造の無限軌道パレットを用意し、この無限軌道パレットの上にブロックを整然と積載して、このブロックを載置させた無限軌道パレットをそのままの状態でブロックの設置位置まで移動させて、しかる後に、最短距離の荷卸し作業で積み下ししながら所定の位置に定置している。
【００２１】
又、本発明による無限軌道パレットは、両側に配置される一対のフレームと、フレームの前後端間に配置される一対の軸輪と、軸輪間に掛け渡されてブロックを載置する搬送ベルトと、軸輪の駆動装置及びフレームの両端部に装備される玉掛けフックから構成されており、以下に、その実施の形態を図面に基づいて詳細に説明する。
【実施例１】
【００２２】
図１は、本発明による無限軌道パレットにおける実施の形態を示す斜視図であり、図２は、図１を（２）−（２）矢視した横断面図であって、図３は、図１を（３）矢視した底面図である。
【００２３】
本発明による無限軌道パレット１は、図１に示すように両側に配置されているフレーム２、２とその前後両端に配置されている一対の軸輪３、３及びフレーム２、２の上面側に装備されているコンベアローラー４と図３に示す下面側に装備されている２列のコンベアローラー５によって外郭を構成しており、一対の軸輪３、３とコンベアローラー４、５の外周には、例えば、幅１ｍ、長さ約２．７ｍの幅広ベルト６が無軌道に張り渡されている。
【００２４】
一対の軸輪３、３は、これを駆動するための動力駆動装置７によって作動しているが、本実施の形態における動力駆動装置７は、図２、３に示す配置形態にある圧縮空気駆動シリンダー７−１とこのピストン７−２に結合されているチェーン７−３及びチェーン７−３の他方端に結合している張力一定のばね７−４から構成されており、動力駆動装置７の動力は、電動、水圧駆動もしくは油圧駆動のいずれであっても良く、圧縮空気駆動シリンダー７−１の作動は、チェーン７−３によって軸輪３の軸に固定したスプロケット３−１に回転力として伝達されている。
【００２５】
動力駆動装置７は、圧縮空気駆動シリンダー７−１が内部に装備しているピストン７−２と相対移動することで、圧縮空気駆動シリンダー７−１内のピストン７−２を１ストロークに相当する分だけ縮む方向に駆動させる際には、ピストン７−２に結合されているチェーン７−３が、スプロケット３−１を介して軸輪３を回転させると同時に、チェーン７−３の反対端に接続しているばね７−４を目一杯に引き伸ばすように機能させている。
【００２６】
次いで、圧縮空気駆動シリンダー７−１の駆動力をフリーにすると、ピストン７−２に対してチェーン７−３に結合しているばね７−４の方が、その張力が勝ることになってチェーン７−３とピストン７−２を初期の位置まで戻すように作用している。しかるに、この時には、軸輪３のスプロケット３−１における逆方向の回転を軸輪３に伝えることなく滑動する機構にしていることによって、軸輪３は逆回転する状態をなくして、無限軌道パレット１は軸輪３の回動による前進位置に留まっている。
【００２７】
従って、本実施の形態では、以上の動きを繰り返すことで、無限軌道パレット１を、圧縮空気駆動シリンダー７−１内のピストン７−２が駆動される１ストロークの長さに相当する分だけ脈動させながら、暫時前進することになる。
【００２８】
コンベアローラー４は、一般的なベルトコンベアと同じ機構のものであり、幅広ベルト６の上に重量のあるブロックを整列積載した時にベルトが撓むのを防止して、これを支持している。又、無限軌道パレット１の下面側に装備されているコンベアローラー５は、図３に示すように圧縮空気駆動シリンダー７−１を間に挟んで２列に構成されて無限軌道パレット１の接地圧を低減しており、コンベアローラー４と共に幅広ベルト６を駆動する際の摩擦抵抗を最小にして、無限軌道パレット１の前方移動抵抗が最小になるように機能している。
【００２９】
又、本実施の形態では、図１の斜視図が示すように無限軌道パレット１の４隅に突起状の支持部材８とこの支持部材８の先端にフック９とが配置されている。支持部材８は、無限軌道パレット１の両側に配置されているフレーム２、２を、所定の高さに水平に仮置きする際に配置している後述の仮置き台に支持される部位であり、フック９は、無限軌道パレット１をクレーンやフォークリフト等で揚重する際に玉掛けするために用いるものである。
【００３０】
無限軌道パレット１を仮置き台に支持させるのは、幅広ベルト６の上に鎖線で表示しているブロックを載置する際に、一対の軸輪３、３を前進方向と反対の方向に滑動させることで、ブロック列を載置するに従って幅広ベルト６を移動させるためであり、幅広ベルト６の上にブロックを載置させるのに、無限軌道パレット１を移動させずに幅広ベルト６のみを水平移動させている。
【００３１】
尚、一対の軸輪３、３は、動力駆動装置７によって回動されるだけでなく、ラチェットによっても回転駆動されるように構成されている。本機構は、図２の側面図において示すように、軸輪３、３の中心軸の端部にアタッチメント金具である六角ボルト３−２を装備することで、ラチェットの回転力を軸輪３、３に伝達している。
【００３２】
従って、六角ボルト３−２にラチェットレンチを装着しながら、これを人力で操作することによって軸輪３、３を駆動することで、幅広ベルト６が駆動したり、無限軌道パレット１が接地している場合には、無限軌道パレット全体を前進させたりできるものである。
【００３３】
以上のように、本発明の無限軌道パレットは、上記実施の形態のように構成されているので、成型ブロックを所定の位置に定置する際に、無限軌道パレットに簡易に載置させながら、所定の位置まで容易に移動させると同時に、何らの損傷も与えることなく簡易に定置させることを可能にしている。
【００３４】
次に、本発明によるブロックの定置方法について説明するが、本発明は、上記無限軌道パレットを用いるものであり、多数のブロックをパレット上に積載する作業を能率的に実施してパレットとブロック群を一括して所定位置へ搬送すると共に、パレットに積載してあるブロック群を最短距離の荷卸し作業で積み下ししながら定置することで、定置作業の効率を飛躍的に向上させ、壊れ易いブロックを丁寧に扱いながら精度良く高効率な定置作業を可能にしている。
【実施例２】
【００３５】
本発明によるブロックの定置方法は、無限軌道パレットを仮置き台に設置し、次いで無限軌道パレット上に所定個数のブロックを載置し、しかる後にブロックを積算した無限軌道パレットを仮置き台から外して施工位置に搬送して、定置済みのブロック積層体の最終端部上に無限軌道パレットを置き、次いで無限軌道パレットからブロックを荷卸しして、継続するブロックの定置位置に順次に配置している。
【００３６】
以下に、本発明によるブロックの定置方法の実施の形態を図面に基づいて詳細に説明する。
【００３７】
図４は、無限軌道パレットにブロック載置して、無限軌道パレットごとで搬出する各工程を示している。
【００３８】
本実施の形態では、図４−１において、無限軌道パレット１を仮置き台１０に置いている。空荷状態の無限軌道パレット１は、その４隅に配置されている支持部材８のフック９にクレーンからのロープ１１を玉掛けして吊り下げられながら、仮置き台１０上に移動しており、仮置き台１０の４隅に設けられた設置台１０−１の上に支持部材８を設置させて仮置き台１０に支持されている。従って、無限軌道パレット１は幅広ベルト６を駆動しても無限軌道パレット１の本体は移動しないものであり、幅広ベルト６の操作を容易にしている。
【００３９】
図４−２は、無限軌道パレット１の幅広ベルト６の上にブロック１２を載置し始める工程を示しており、４列×１行に整列したブロック１２を人手によって幅広ベルト６の後方端部から積載し始めている。
【００４０】
幅広ベルト６上へのブロック１２の載置は、これに次いで行われる軸輪３、３に対するラチェットを用いた人力による軸輪３、３の回動と幅広ベルト６のブロック奥行き長さ相当分だけの移動とによってブロック１２の積載を暫時継続するものであり、最終的には、図４−３のように所定の形態に整列させたブロック１２を積載し終えるものである。
【００４１】
尚、ブロック１２の整列は、本実施の形態のように１段に限定されるものでなく、複数段に積層することであっても、上記の各操作によって容易に積載できるものである。
【００４２】
しかして、ブロック１２を所定の形態に積載し終えた無限軌道パレット１は、図４−４のように支持部材８のフック９にクレーンからのロープ１１を再び玉掛けし、その後に吊り下げることによって仮置き台１０から離脱させている。
【００４３】
本発明の実施の形態では、上記のようにブロック１２を人手によって幅広ベルト６の上に載置するばかりでなく、ブロックをフォークリフトや荷揚げ装置のような積込装置によっても効率よく積載することもできる。
【００４４】
図５は、これらの１例を示す実施の形態であり、図において、１３はブロックの積込装置であり、他の部位については上記実施の形態と同様である。
【００４５】
本実施の形態では、図５−１に示すように積込装置１３のフォーク１３−１に取り込んで運搬してきたブロック１２を、無限軌道パレット１と同等の高さに位置させている。次いで、積込装置１３は、前方に推し進められて無限軌道パレット１の幅広ベルト６の端部にフォーク１３−１を近接させており、図５−２のように積込装置１３の押出具１３−２を前方に押し出すことによって、ブロック１２を積載済みのブロック１２に隣接させるように押し出している。
【００４６】
しかるに、押出具１３−２の押出力は、ブロック１２の押し出しの他に幅広ベルト６に対しても摩擦力として伝えることになり、図示のように幅広ベルト６をブロック１２の奥行き長さ相当分だけ動かしている。
【００４７】
従って、本実施の形態では、その後も複数列×１行に整列したブロックを前方に押し出す毎に同じアクションを繰り返すことによって、無限軌道パレット１の上に複数列×複数行×１段のブロック１２群として整列積載することになる。
【００４８】
ブロック１２群を整列積載した後の無限軌道パレット１は、特に図示していないが、タイヤ方式の運搬装置に積載して長距離を搬送することも可能であり、施工位置に搬送した後には、クレーンやフォークリフトによって所定の施工場所に仮置きすることもできる。
【００４９】
施工位置に搬送された後のブロック１２は、無限軌道パレット１に装備しているフック９に玉掛けするか支持部材８を把持して無限軌道パレット１を吊り揚げることで、ブロックの荷卸しと定置工程に移行することになる。
【００５０】
図６は、施工位置に搬送された後のブロックを荷卸しして定置する工程を示している。
【００５１】
図６−１では、ブロック１２を載置した無限軌道パレット１を、これに装備しているフックや支持部材を把持することによってロープ１１によって吊り揚げており、既に整列積み上げが終了しているブロックの終点に無限軌道パレット１を降下させている。無限軌道パレット１の正確な設置位置は、図６−２のように既に整列積み上げが終了しているブロック１２の終点であり、無限軌道パレット１の前方端部と既設ブロック１２の終点とが、水平位置においてほぼ一致する所定の位置である。
【００５２】
この時点における無限軌道パレット１は、２行相当のブロック１とブロック２及び３既に荷卸し定置済みであり、３行目のブロックの最後のブロックを定置すると同時に、無限軌道パレット１は、ブロックの奥行き長さに相当する分だけ前進するように関連付けられており、前方端部に整列している４行目のブロック１２が、既に定置したブロック３の定置位置から最短距離に位置することになるので、人力によるブロックの荷卸し作業を実施するのに能率良くなっている。
【００５３】
図６−３の段階においては、無限軌道パレット１の前方端部は、積み上げ定置済みのブロック３の前方端部の直上に到達することになり、無限軌道パレット１の上に積載され
ているブロック１２群の４行目のブロックを幅広ベルト６の前方端部にまで移行させている。
【００５４】
従って、この時点における無限軌道パレット１の前方端部は、整列している４行目のブロックがブロック定置位置から最短距離に位置することになるので、人力によるブロックの荷卸し作業を能率良くしており、以上の作業を繰り返すことで最後の８行目のブロックを定置し終えている。
【００５５】
次いで、空荷になった無限軌道パレット１は、図６−４のようにクレーンやフォークリフトで場外に搬出されると共に、後続しているブロック１２を載置した無限軌道パレット１が導入されている。
【００５６】
本発明では、上記実施の形態のように、ブロック１２を人手によって幅広ベルト６の上から荷卸しするばかりでなく、ブロックを搬送定置用ミニクレーン装置のような搬送定置装置によっても効率よく定置させることもできる。
【００５７】
図７は、これらの１例を示す実施の形態であり、図において、１４はブロックの搬送定置装置の１例を示す真空式定置装置であり、他の部位については上記実施の形態と同様である。
【００５８】
図７−１は、ブロック１２が真空式定置装置１４を用いて操作されるブロックの搬送工程を示しており、ブロック１２は、真空式定置装置１４の真空パッド１４−１によって把持され、コンストンバネ等の一定張力を発揮する渦巻ばねもしくは空気圧利用装置から成る荷重負荷低減機構１４−２によって、ブロック重量のほとんどをミニクレーン１４−３が分担するように構成しているので、作業員はブロックの重さを感じることなくブロックを荷卸しできるようにしており、壊れやすいブロックを丁寧に精度よく所定位置に定置することを可能にしている。
【００５９】
図７−２は、搬送されてきたブロック１２を所定の位置に定置する工程を示しており、ブロック１２をミニクレーン１４−３によって水平移動させながら所定位置に定置した後に、真空パッド１４−１を解除することで定置作業を完了している。ブロックの定置作業は、この操作の反復によって作業員にブロックの重さをほとんど感じさせることなく、ブロックの定置作業を能率よく達成できるものである。
【００６０】
図８は、他の例を示す実施の形態であり、図５で説明したブロックの積込装置１３を用いてブロックを搬送定置させる工程を示している。
【００６１】
本実施の形態では、図８−１に示すように無限軌道パレット１の幅広ベルト６の上に載置した状態で運搬してきたブロック１２を、無限軌道パレット１からブロック１行分毎に一括して滑落させ、これを待ち受けている積込装置１３のフォーク１３−１によって受け取っている。
【００６２】
次いで、図８−２に示す工程のように積込装置１３のフォーク１３−１を降下させて、受け取って運搬してきたブロック１２を所定位置に配置させるものであり、フォーク１３−１を定置済みのブロック１２に近接させて第１行目のブロック１２群を押出具１３−２を前方に押し出すことで、図８−３のようにブロック１２を定置済みのブロック１２に隣接させるように押し出して、定置作業を完了している。
【００６３】
上記実施例２で示したブロックの定置方法では、仮置き台１０に設置した無限軌道パレット１上に、人手やフォークリフト、荷揚げ装置等により所定個数のブロック１２を載置していたが（図４及び図５参照）、本発明に係るブロックの定置方法では、次のようにして仮置き台１０に設置した無限軌道パレット１上に所定個数のブロック１２を載置することもできる。
【００６４】
図９は、上記ブロックの定置方法における他の例を模式的に示したものである。尚、上述の実施例１及び実施例２と同一の構成を有するものには、同一の符号を付してその説明を省略する。
【００６５】
まず、仮置き台１０に設置した無限軌道パレット１に押出成型機２０を近接させた態様で配置する。より詳細に説明すると、図９−１に示すように、無限軌道パレット１の後端側にローラコンベア２１を配置するとともに、該ローラコンベア２１の側方に押出成型機２０を配置する。この押出成型機２０は、例えばベントナイト等の材料を圧縮して、棒状のブロック体２２を定速で押し出し成型するものである。ローラコンベア２１は、仮置き台１０に設置された無限軌道パレット１と同等の高さを有しており、押出成型機２０からのブロック体２２を搬送するものである。
【００６６】
次に図９−２に示すように、押出成型機２０によりブロック体２２を押し出し成型する。得られたブロック体２２は、ローラコンベア２１により無限軌道パレット１の後端側に搬送させる。その際、図示せぬカット機構によりブロック体２２を切断して所定の大きさのブロック１２を形成する。
【００６７】
そして、図９−３に示すように、ローラコンベア２１により搬送させて無限軌道パレット１の後端側に位置する所定個数（図示の例では４個）のブロック１２を、押出機構２３により前方側（無限軌道パレット１側）に押し出す。これにより、図９−４に示すように、無限軌道パレット１上に所定個数のブロック１２を載置することができる。
【００６８】
その後、図１０−１及び図１０−２に示すように、無限軌道パレット１上に載置したブロック１２群を内包する態様で乾燥防止箱３０を必要に応じて被せても良い。これにより、無限軌道パレット１上に載置したブロック１２が、乾燥環境下で長時間晒されることによって乾燥してしまうことを有効に防止することができる。
【００６９】
以上説明したようなブロックの定置方法によれば、仮置き台１０に設置した無限軌道パレット１に押出成型機２０を近接させ、該押出成型機２０により成型して成る所定個数のブロック１２を無限軌道パレット１上に載置するので、該ブロック１２を無限軌道パレット１上に効率的に載置することができる。
【００７０】
また、上記ブロックの定量方法によれば、無限軌道パレット１上のブロック１２群を内包する態様で被せた乾燥防止箱３０により該ブロック１２が乾燥環境下で長時間晒されることによって乾燥してしまうことを有効に防止することができるので、該無限軌道パレット１上に載置されたブロック１２の品質を長時間保持することができる。
【００７１】
以上、本発明を実施の形態に基づいて詳細に説明してきたが、本発明による無限軌道パレットとそれを用いるブロックの定置方法は、これに限定されるものでなく、発明の趣旨を逸脱しない範囲において各種の変更が可能であることは、当然のことである。
【産業上の利用可能性】
【００７２】
本発明による無限軌道パレットとそれを用いるブロックの定置方法は、産業廃棄物や放射性廃棄物を地中に埋設処分する際に毒性物質が地下水に漏出しないように抑制する遮水工に用いるブロックをブロックの崩壊を回避しながら所定の位置に容易かつ迅速に定置できる。
【図面の簡単な説明】
【００７３】
【図１】本発明による無限軌道パレットの実施の形態を示す斜視図である。
【図２】図１に示した無限軌道パレットを（２）−（２）矢視した部分横断面図である。
【図３】図１に示した無限軌道パレットを（３）矢視した底面図である。
【図４−１】本発明のブロックの定置方法においてブロックを無限軌道パレットに載置する工程を示した形態図である。
【図４−２】本発明のブロックの定置方法においてブロックを無限軌道パレットに載置する工程を示した形態図である。
【図４−３】本発明のブロックの定置方法においてブロックを無限軌道パレットに載置する工程を示した形態図である。
【図４−４】本発明のブロックの定置方法においてブロックを無限軌道パレットに載置する工程を示した形態図である。
【図５−１】本発明のブロックの定置方法においてブロックを無限軌道パレットに載置する工程の他の例を示した形態図である。
【図５−２】本発明のブロックの定置方法においてブロックを無限軌道パレットに載置する工程の他の例を示した形態図である。
【図６−１】ブロックを載置した無限軌道パレットを所定位置に配置する工程を示した形態図である。
【図６−２】ブロックを載置した無限軌道パレットを所定位置に配置する工程を示した形態図である。
【図６−３】ブロックを載置した無限軌道パレットを所定位置に配置する工程を示した形態図である。
【図６−４】ブロックを載置した無限軌道パレットを所定位置に配置する工程を示した形態図である。
【図７−１】ブロックを載置した無限軌道パレットを所定位置に配置する工程の他の例を示した形態図である。
【図７−２】ブロックを載置した無限軌道パレットを所定位置に配置する工程の他の例を示した形態図である。
【図８−１】ブロックを載置した無限軌道パレットを所定位置に配置する工程の他の例を示した形態図である。
【図８−２】ブロックを載置した無限軌道パレットを所定位置に配置する工程の他の例を示した形態図である。
【図８−３】ブロックを載置した無限軌道パレットを所定位置に配置する工程の他の例を示した形態図である。
【図９−１】図４及び図５に示したブロックを無限軌道パレットに載置する工程の他の例を示した形態図である。
【図９−２】図４及び図５に示したブロックを無限軌道パレットに載置する工程の他の例を示した形態図である。
【図９−３】図４及び図５に示したブロックを無限軌道パレットに載置する工程の他の例を示した形態図である。
【図９−４】図４及び図５に示したブロックを無限軌道パレットに載置する工程の他の例を示した形態図である。
【図１０−１】無限軌道パレット上に載置したブロック群に乾燥防止箱を被せる工程を示した形態図である。
【図１０−２】無限軌道パレット上に載置したブロック群に乾燥防止箱を被せる工程を示した形態図である。
【図１１−１】従来のブロック圧縮成型装置を示した説明図である。
【図１１−２】従来のブロック圧縮成型装置を示した説明図である。
【符号の説明】
【００７４】
１  無限軌道パレット、  ２  フレーム、  ３  軸輪、  ３−１  スプロケット、  ３−２  六角ボルト、  ４、５  コンベアローラー、  ６  幅広ベルト、  ７  動力駆動装置、  ７−１  圧縮空気駆動シリンダー、  ７−２  ピストン、  ７−３  チェーン、  ７−４  ばね、  ８  支持部材、  ９  フック、  １０  仮置き台、  １１  ロープ、  １２  ブロック、  １３  積込装置、  １３−１  フォーク、  １３−２  押出具、  １４  真空式定置装置、  １４−１  真空パッド、  １４−２  荷重負荷低減機構、  
１４−３  ミニクレーン、  ２０  プレス装置、  ２１  ベントナイト型枠、
２２  シリンダー、  ２３、２４  シリンダー、  ２５  ベントナイト
【図１】
2005132631.tif 000003
【図２】
2005132631.tif 000004
【図３】
2005132631.tif 000005
【図４−１】
2005132631.tif 000006
【図４−２】
2005132631.tif 000007
【図４−３】
2005132631.tif 000008
【図４−４】
2005132631.tif 000009
【図５−１】
2005132631.tif 000010
【図５−２】
2005132631.tif 000011
【図６−１】
2005132631.tif 000012
【図６−２】
2005132631.tif 000013
【図６−３】
2005132631.tif 000014
【図６−４】
2005132631.tif 000015
【図７−１】
2005132631.tif 000016
【図７−２】
2005132631.tif 000017
【図８−１】
2005132631.tif 000018
【図８−２】
2005132631.tif 000019
【図８−３】
2005132631.tif 000020
【図９−１】
2005132631.tif 000021
【図９−２】
2005132631.tif 000022
【図９−３】
2005132631.tif 000023
【図９−４】
2005132631.tif 000024
【図１０−１】
2005132631.tif 000025
【図１０−２】
2005132631.tif 000026
【図１１−１】
2005132631.tif 000027
【図１１−２】
2005132631.tif 000028